(57)【特許請求の範囲】
【請求項１】
作業者に持ち上げられるグリップ部と、
前記グリップ部に設けられ、踏段のブラケットを支持する支持部と、
前記グリップ部に設けられ、前記支持部が前記ブラケットを支持した状態で前記作業者が前記グリップ部を持ち上げた場合に、前記踏段と前記作業者との間に配置されるエプロンと
を備えたことを特徴とする乗客コンベヤの踏段運搬装置。
【請求項２】
前記支持部は、前記ブラケットが挿入される凹部が形成された第１爪部と、前記凹部に挿入された前記ブラケットを前記第１爪部とともに挟む第２爪部とを有し、
前記第１爪部および前記第２爪部は、前記第１爪部が前記ブラケットを支持する場合に前記ブラケットを挟み、前記第１爪部による前記ブラケットの支持が解除される場合に前記ブラケットの挟みを解除することを特徴とする請求項１に記載の乗客コンベヤの踏段運搬装置。
【請求項３】
前記支持部に設けられ、前記支持部が前記ブラケットを支持する場合に前記ブラケットに接触する滑り止め部材をさらに備えたことを特徴とする請求項１または請求項２に記載の乗客コンベヤの踏段運搬装置。
【請求項４】
前記グリップ部に設けられ、長さ調節が可能な肩掛け部をさらに備えたことを特徴とする請求項１から請求項３までの何れか一項に記載の乗客コンベヤの踏段運搬装置。
【発明の詳細な説明】
【技術分野】
【０００１】
この発明は、踏段を運搬する際に用いられる乗客コンベヤの踏段運搬装置に関する。
【背景技術】
【０００２】
従来、踏段を運搬する際に作業者に握られるグリップ部と、グリップ部に連結され、踏段のブラケットを支持する支持部とを備え、支持部がブラケットを支持した状態で作業者がグリップ部を持ち上げることにより、踏段が持ち上げられるエスカレータの踏段運搬装置が知られている（例えば、特許文献１参照）。
【先行技術文献】
【特許文献】
【０００３】
【特許文献１】特開２００３−４０５７０号公報
【発明の概要】
【発明が解決しようとする課題】
【０００４】
しかしながら、作業者がグリップを持ち上げる場合に、持ち上げられた踏段が作業者の作業服に接触して、作業服が汚れてしまうという問題点があった。
【０００５】
この発明は、踏段が作業服に接触することを防止することができる乗客コンベヤの踏段運搬装置を提供するものである。
【課題を解決するための手段】
【０００６】
この発明に係る乗客コンベヤの踏段運搬装置は、作業者に持ち上げられるグリップ部と、グリップ部に設けられ、踏段のブラケットを支持する支持部と、グリップ部に設けられ、支持部がブラケットを支持した状態で作業者がグリップ部を持ち上げた場合に、踏段と作業者との間に配置されるエプロンとを備えている。
【発明の効果】
【０００７】
この発明に係る乗客コンベヤの踏段運搬装置によれば、支持部がブラケットを支持した状態で作業者がグリップ部を持ち上げた場合に、踏段と作業者との間に配置されるエプロンを備えているので、作業者がグリップ部を持ち上げる場合に、持ち上げられた踏段が作業者の作業服に接触することを防止することができる。
【図面の簡単な説明】
【０００８】
【図１】この発明の実施の形態１に係る踏段運搬装置を示す正面図である。
【図２】図１の踏段運搬装置を用いて踏段を運搬する様子を示す図である。
【図３】図１の踏段運搬装置が踏段のブラケットを支持した状態を示す正面図である。
【発明を実施するための形態】
【０００９】
実施の形態１．
図１はこの発明の実施の形態１に係る踏段運搬装置を示す正面図、図２は図１の踏段運搬装置を用いて踏段を運搬する様子を示す図である。図において、踏段運搬装置（乗客コンベヤの踏段運搬装置）は、作業者に持ち上げられるグリップ部１と、グリップ部１に設けられた一対の支持部２と、グリップ部１に設けられたエプロン３と、グリップ部１に設けられた肩掛け部４と、それぞれの支持部２に設けられた滑り止め部材５とを備えている。
【００１０】
踏段運搬装置を用いて運搬されるエスカレータの踏段１０は、踏板１０１と、一端部が踏板１０１に接続されたライザ１０２と、一端部が踏板１０１に接続され、他端部がライザ１０２の他端部に接続されたブラケット１０３と、ライザ１０２の他端部に回転自在に設けられたローラ１０４とを備えている。踏段１０は、踏段１０がライザ１０２よりも下方に位置する状態で運搬される。また、踏段１０は、ライザ１０２が水平面に対して傾斜した状態で運搬される。
【００１１】
グリップ部１は、円筒形状に形成されている。グリップ部１は、作業者の手がグリップ部１を握ることができる形状に形成されている。グリップ部１は、グリップ部１を握った作業者の手が上方に移動することによって、持ち上げられる。
【００１２】
支持部２は、グリップ部１の長手方向両端部に取り付けられている。支持部２は、一端部がグリップ部１に接続されたワイヤ２１と、凹部２２１が形成された第１爪部２２と、ワイヤ２１の他端部に接続され、第１爪部２２を支持する第２爪部２３とを有している。
【００１３】
第１爪部２２は、くの字に折り曲げられた板ばねから構成されている。凹部２２１は、グリップ部１の長手方向外側を向くように配置されている。凹部２２１にブラケット１０３が挿入された状態で、グリップ部１が持ち上げられることによって、踏段１０に作用する重力が第１爪部２２に加えられる。第１爪部２２は、第２爪部２３の長手方向中間部に一端部が接続されている。したがって、第１爪部２２に加えられた踏段１０の重力は、第２爪部２３に伝えられる。第１爪部２２は、第１爪部２２に踏段１０の重力が加えられた場合に、第１爪部２２における第２爪部２３と接続される部分と第２爪部２３との間の角度が、第１爪部２２に踏段１０の重力が加えられていない場合と比較して小さくなるように弾性変形する。
【００１４】
第２爪部２３は、板ばねから構成されている。第２爪部２３は、無負荷状態の場合に、ワイヤ２１に接続されている一端部から他端部に向かうにつれて、グリップ部１の長手方向外側に向かうように、グリップ部１の軸線に垂直な面に対して傾斜する。この時の第２爪部２３の位置を解除位置とする。また、第２爪部２３は、第１爪部２２にブラケット１０３が取り付けられた場合に、踏段１０の重さによって、グリップ部１の軸線に垂直な面に沿うように弾性変形する。この時の第２爪部２３の位置を把持位置とする。したがって、第２爪部２３は、解除位置と把持位置との間で変位する。
【００１５】
第２爪部２３の位置が解除位置である場合、第１爪部２２および第２爪部２３は、ブラケット１０３を把持しない。したがって、凹部２２１に対するブラケット１０３の出し入れが可能となる。一方、第２爪部２３の位置が把持位置である場合、第１爪部２２および第２爪部２３は、互いにブラケット１０３を挟む。これにより、ブラケット１０３は、第１爪部２２および第２爪部２３に把持される。したがって、凹部２２１からブラケット１０３が出てしまうことが防止される。
【００１６】
エプロン３は、支持部２がブラケット１０３を支持した状態で作業者がグリップ部１を持ち上げた場合に、踏段１０と作業者との間に配置される。
【００１７】
肩掛け部４は、両端部がグリップ部１に固定されている。肩掛け部４は、長手方向の寸法が調整可能となっている。つまり、肩掛け部４は、長さ調節が可能となっている。
【００１８】
滑り止め部材５は、第１爪部２２および第２爪部２３に取り付けられている。第１爪部２２に取り付けられた滑り止め部材５は、支持部２がブラケット１０３を支持する場合にブラケット１０３に接触する。第２爪部２３に取り付けられた滑り止め部材５は、支持部２がブラケット１０３を把持する場合に、ブラケット１０３に接触する。滑り止め部材５がブラケット１０３に接触することによって、ブラケット１０３が水平面に対して傾斜した状態で支持部２がブラケット１０３を把持する場合に、支持部２がブラケット１０３に対してスライドすることが抑制される。
【００１９】
図３は図１の踏段運搬装置が踏段のブラケットを支持した状態を示す正面図である。次に、踏段運搬装置を用いて踏段１０を運搬する手順について説明する。作業者は、凹部２２１にブラケット１０３を挿入し、その後、グリップ部１を持ち上げる。これにより、第２爪部２３が解除位置から把持位置に変位する。このとき、第１爪部２２は、第１爪部２２における第２爪部２３と接続される部分と第２爪部２３との間の角度が、第１爪部２２に踏段１０の重力が加えられていない場合と比較して小さくなるように弾性変形する。したがって、支持部２がブラケット１０３を把持する。
【００２０】
作業者は、グリップ部１を持ち上げる際に、エプロン３が作業者と踏段１０との間に配置されるようにエプロン３の位置を調整する。その後、踏段１０を所定の領域に運搬し、その後、作業者は、踏段１０を所定の位置に下す。これにより、第２に爪部２３が把持位置から解除位置に変位する。このとき、第１爪部２２は、元の形に戻る。したがって、支持部２によるブラケット１０３の把持が解除される。
【００２１】
作業者は、踏段１０を所定の位置に下した後、作業者は、凹部２２１からブラケット１０３が出されるように、支持部２をブラケット１０３から離す。以上により、踏段運搬装置を用いた踏段１０の運搬が終了する。
【００２２】
以上説明したように、この発明の実施の形態１に係る踏段運搬装置によれば、支持部２がブラケット１０３を支持した状態で作業者がグリップ部１を持ち上げた場合に、踏段１０と作業者との間に配置されるエプロン３を備えているので、作業者がグリップ部１を持ち上げる場合に、持ち上げられた踏段１０が作業者の作業服に接触することを防止することができる。
【００２３】
また、支持部２は、ブラケット１０３が挿入される凹部２２１が形成された第１爪部２２と、凹部２２１に挿入されたブラケット１０３を第１爪部２２とともに挟む第２爪部２３とを有し、第１爪部２２および第２爪部２３は、第１爪部２２がブラケット１０３を支持する場合にブラケット１０３を挟み、第１爪部２２によるブラケット１０３の支持が解除される場合にブラケット１０３の挟みを解除するので、作業者がグリップ部１を持ち上げることによって支持部２がブラケット１０３を把持し、作業者がグリップ部１を下すことによって支持部２によるブラケット１０３の把持が解除される。これにより、踏段１０をより効率よく運搬することができる。
【００２４】
また、踏段運搬装置は、支持部２に設けられ支持部２がブラケット１０３を支持する場合にブラケット１０３に接触する滑り止め部材５を備えているので、支持部２がブラケット１０３に対してスライドすることを抑制することができる。
【００２５】
また、踏段運搬装置は、グリップ部１に設けられ長さ調節が可能な肩掛け部４を備えているので、踏段１０をより容易に運搬することができる。
【００２６】
なお、上記実施の形態１では、エスカレータの踏段１０を運搬する踏段運搬装置を例に説明したが、動く歩道の踏段を運搬する踏段運搬装置であってもよい。
【符号の説明】
【００２７】
１  グリップ部、２  支持部、３  エプロン、４  肩掛け部、５  滑り止め部材、１０  踏段、２１  ワイヤ、２２  第１爪部、２３  第２爪部、１０１  踏板、１０２  ライザ、１０３  ブラケット、１０４  ローラ、２２１  凹部。
【図１】
0006289285.tif 000002
【図２】
0006289285.tif 000003
【図３】
0006289285.tif 000004